(57)【特許請求の範囲】
【請求項１】
視認用ディスプレイ部を有して車輌のダッシュボード等に組み込み装着する車載用ディスプレイ装置において、前記ディスプレイ部が前記ダッシュボード等に対して進退自在のスライド機構を備えると共に、前記進退作動の後退姿勢を係止するロック機構と、前記ロック機構の解除によって前記進退の前進姿勢に突き出す手動押出機構を備え、さらに、前記ディスプレイ部は、視認面を前面にした立設姿勢に保持され、かつ、前進姿勢の傾斜セットの傾斜機構を備えた構造を特徴とする車載用ディスプレイ装置。
【請求項２】
ボックス形状のユニット本体と、前記ユニット本体の開閉蓋をなすディスプレイ部によって構成された請求項１の車載用ディスプレイ装置。
【請求項３】
不使用時のディスプレイ部が、後退してダッシュボード等の装着窓に収納される請求項１または請求項２の車載用ディスプレイ装置。
【請求項４】
傾斜姿勢を解除したときのみ後退収納可能となる後退姿勢規制機構を設けた請求項３の車載用ディスプレイ装置。
【発明の詳細な説明】
【０００１】
【発明の属する技術分野】
本発明は、例えば自動車に搭載して、キヤビンのダッシュボード等に組み込み装着する車載用ディスプレイ装置に関するものである。
【０００２】
【従来の技術】
近年、自動車にテレビジョンを搭載して車内で視聴することが普及し、そのテレビジョンのディスプレイとしては、ＣＲＴディスプレイまたは液晶ディスプレイが使用されている。そして、そのディスプレイ装置をキヤビンのダッシュボードに組み入れ装着する構造の車輌では、特開平１ー２４５７８７号公報の公知例のように、そのディスプレイ装置を、ＣＤプレイヤー等を収納するボックス形状のユニット本体と、そのユニット本体の正面開口部に覆蓋して開閉自在の蓋部をなすディスプレイ部の組合せ構成にしたものがあり、さらに、運転者が視認し易いようにディスプレイ部を任意の傾斜姿勢に調整セット自在にした構造のものもある。
【０００３】
そして、前記のユニット本体とディスプレイ部の組合せ構成のものは、そのユニット本体内のＣＤプレイヤー等を操作するときや、ディスプレイ部を作動させて視認するときは、そのディスプレイ部を前方に倒してユニット本体を開放したり、ディスプレイ部を傾斜セットする必要があるので、ディスプレイ部の開閉機構が設けられ、構造簡素な手動開閉機構型のものが普及している。
【０００４】
【発明が解決しようとする課題】
以上の従来の車載用ディスプレイ装置の手動式開閉機構のものは、ディスプレイ部を手で開閉操作する必要があるので、ユニット本体を閉じた姿勢の不使用状態のディスプレイ部が手で操作できる撮み代を確保するために、ディスプレイ部をダッシュボード表面から若干量突き出した姿勢にせざるを得ない。従って、その突出によってダッシュボード表面との調和感が崩れて、キヤビン内美観を損う不具合があると共に、そのディスプレイ部の突出部分を手で持って開閉移動する操作がしづらく取扱性に劣る。本発明は、以上の従来技術の難点を解消する車載用ディスプレイ装置を提供するものである。
【０００５】
以上の技術課題を解決する本発明の車載用ディスプレイ装置は「視認用ディスプレイ部を有して車輌のダッシュボード等に組み込み装着する車載用ディスプレイ装置において、前記ディスプレイ部が前記ダッシュボード等に対して進退自在のスライド機構を備えると共に、前記進退作動の後退姿勢を係止するロック機構と、前記ロック機構の解除によって前記進退の前進姿勢に突き出す手動押出機構を備え、さらに、前記ディスプレイ部は、視認面を前面にした立設姿勢に保持され、かつ、前進姿勢の傾斜セットの傾斜機構を備えた構造」に成っている。
【０００６】
即ち、本発明の車載用ディスプレイ装置は、前記のスライド機構によって進退自在に構成し、ディスプレイ部を視認しない等の不使用時には後退姿勢にロックしてダッシュボード内等に納めると共に、ディスプレイ部を視認する等の使用時には、ロック解除ボタン等の操作によって、その後退ロックを手動解除して自動的に前進突き出し姿勢にする構造が特徴である。そして、その前進突出姿勢のディスプレイ部が運転者等から見やすいように任意角に傾斜セットできる傾斜機構を有している。そして、その傾斜姿勢では後退不能にしてディスプレイ部の円滑な後退収納を図る後退姿勢規制機構を設けたり、ＣＤプレイヤー等を収納するユニット本体とディスプレイ部との組合せ構成等の態様が採択される。
【０００７】
【作用】
以上の本発明の車載用ディスプレイ装置は、不使用時には後退姿勢にしてダッシュボード等に収納し、必要なときのみ後退姿勢のロック解除によって自動的に前進突き出し姿勢にすることができるので、その不使用姿勢のディスプレイ部がダッシュボード等から突き出してキヤビン内美観を損なう不具合が解消できると共に、ディスプレイ部の使用状態セットの作業がし易くなる。
【０００８】
【発明の実施の形態】
以下、本発明の実施形態を示す図１・図２に基づいて詳しく説明する。まず、自動車運転席のダッシュボード１０に組み込み装着する車載用ディスプレイ装置１にしてＣＤプレイヤー等を収納する箱体形状のユニット本体３と、そのユニット本体３の開閉蓋をなすディスプレイ部２から構成されたものにおいて、ディスプレイ部２は薄型の液晶ディスプレイにして、左右側縁に備えたスライド機構４によってユニット本体３に対して進退自在に組合せ構成され、その後退姿勢ではユニット本体２の開口部を閉じてダッシュボード１０の装着窓１１内に収納セットされる構造を有している。そして、必要に応じてディスプレイ部２を前進させて、ユニット本体３を開口してＣＤプレイヤー等を操作したり、ディスプレイ部２を作動させて使用する。
【０００９】
詳しくは、ディスプレイ部２は図示のように「視認面を前面にした立設姿勢」に保持されている。そして、スライド機構４はディスプレイ部２の側壁に連結した支承バー５とユニット本体３の案内レール６からなり、その支承バー５が案内レール６にスライド自在に係合されている。そして，後退してきた使用バー５を前方へ押し出し付勢する付勢ばね７を支承バー５の後方に装着した押出機構と、その支承バー５の後退姿勢を係止ピン１２等によってロックすると共に、ダッシュボード１０の表面に突設した操作ロッド１３を押すことによって、そのロックを解除して支承バー５の付勢前進を許容するロック機構・ロック解除機構を有している。
【００１０】
さらに、この実施形態のものは前進姿勢のディスプレイ部２が、支承バー５の支承ピン８を回転中心として任意傾斜角にセットできるディスプレイ部２の傾斜機構を有し、ディスプレイ部２を視認する運転者が適量の傾斜姿勢にセットして視認し易くできる。なお、この任意角傾斜機構はノッチ孔に係止ピンが「パチパチ」と係合する傾斜角階段セット構造のもの、または、支承ピン８を軸受によって弾圧係止する傾斜角無段階セット構造等の公知手段によって構成されている。なお図中の１５は、後退姿勢のディスプレイ部２の前倒れを防止する着脱自在の係止ボタンである。
【００１１】
そして（図１の（Ｂ）参照）、ディスプレイ部２を視認しない不使用時とユニット本体３を閉じておくときは、ディスプレイ部２を後退姿勢にしてロックし、ディスプレイ部２をダッシュボード１０の装着窓１１内に収納セットする。そして、ディスプレイ部２を視認する使用時やユニット本体３を使用するときに操作ロッド１３を押すと、スライド機構の後退ロックが解除されて、ディスプレイ部２が自動的に付勢前進し、ユニット本体３の開口部を開口すると共に、ディスプレイ部２を必要に応じて傾斜セットして視認可能姿勢に保持して使用する。そして、再び不使用状態やユニット本体３を閉口状態に戻すときは、突き出し姿勢のディスプレイ部２を指先で押し戻すことによって、後退させてロックしダッシュボード１０内へ収納セットする。
【００１２】
以上の図１実施形態のディスプレイ装置は、ディスプレイ部２の前進セットと後退収納が手動で極めて容易にできるので自動車キヤビン内のディスプレイ装置の操作がし易く取扱性が向上する。そして、不使用時のときはダッシュボード１０内に収納セットできるので、キヤビン内美観を損うことがない。
【００１３】
続いて、図２を参照して本発明の他の実施形態を説明する。即ち、図１のものと同一・類似のスライド機構４・押出機構等を有するものにおいて、この図２のものはディスプレイ部２の下端の規制ピン１６とユニット本体３に突設したストッパー１７からなるディスプレイ部２の後退セット姿勢の規制機構が設けられ、前進して傾斜したディスプレイ部２Ａを正常な立設姿勢に戻さない限り、規制ピン１６がストッパー１７に干渉してディスプレイ部２のダッシュボード１０内への後退収納ができないようになっている。この図２のものは、傾斜姿勢のディスプレイ部２が傾斜したままの不良姿勢でダッシュボード１０に無理入れされることはない。
【００１４】
なお、本発明は前記の実施形態に限定されず、ディスプレイ部２の押出機構を、ダッシュボード１０の表面に突出した操作ロッドを押し込むことによって、ディスプレイ部２の背面を押圧して前方へスライド前進させる機構にしたり、ユニット本体３を省略したり、さらに、ディスプレイ部２の後退姿勢規制機構を前記の規制ピン１６・ストッパー１７以外のものに変更する等の変化がある。
【００１５】
【発明の効果】
以上の説明のとおり、本発明の車載用ディスプレイ装置は、車輌の良好なキヤビン内美観を安定維持すると共に、運転者等による取扱性が向上し、利用者の便宜向上を図る効果がある。
【図面の簡単な説明】
【図１】本発明の一実施形態の車載用ディスプレイ装置を示し、（Ａ）はその全体側面図、（Ｂ）はその部分拡大側面図
【図２】本発明の他の実施形態の車載用ディスプレイ装置の部分側面図
【符号の説明】
１  車載用ディスプレイ装置
２  ディスプレイ部
３  ユニット本体
４  スライド機構
５  支承バー
６  案内レール
７  付勢ばね
８  支承ピン
１０  ダッシュボード
１１  装着窓
１２  係止ピン
１３  操作ロッド
１６  規制ピン
１７  ストッパー
【図１】
0003627362.tif 000002
【図２】
0003627362.tif 000003